【手続補正書】
【提出日】平成24年1月26日(2012.1.26)
【手続補正１】
【補正対象書類名】特許請求の範囲
【補正対象項目名】全文
【補正方法】変更
【補正の内容】
【特許請求の範囲】
【請求項１】
高容量空気力学ゴルフクラブヘッドであって、
Ａ）クラブヘッド容量が少なくとも４００ｃｃであり、フェースと、ソールセクションと、クラウンセクションと、前面と、後面と、ヒールと、トウとを有し、前後寸法（ＦＢ）が少なくとも４．４インチであり、ヒールからトウにかけての寸法（ＨＴ）は前記前後寸法より大きい中空ボディと、
Ｂ）クラウン頂点が基面（ＧＰ）から頂点高さ（ＡＨ）分、上に位置しており、前記クラウンセクションの、前記クラウン頂点と前記フェースとの間の部分における、頂点から前面にかけての曲率半径（Ｒａ−ｆ）が３インチ未満である前記クラウンセクションと、
Ｃ）上端部と下端部とを有する前記フェースと
を備え、
上端部高さ（ＴＥＨ）は、前記基面（ＧＰ）より上の前記上端部の高さであり、下端部高さ（ＬＥＨ）は、前記基面（ＧＰ）より上の前記下端部の高さであり、最大上端部高さ（ＴＥＨ）は少なくとも２インチであり、前記頂点高さ（ＡＨ）の前記最大上端部高さ（ＴＥＨ）に対する頂点比は少なくとも１．１３であり、
Ｄ）前記高容量空気力学ゴルフクラブヘッドにおいては、設計されたように方向付けられ、前記高容量空気力学ゴルフクラブヘッドの前記前面に対して、１００ｍｐｈの風を前記基面（ＧＰ）に平行にあてた場合に、フェースを下にした正規化空気抵抗が１．５ｌｂｆ未満である
高容量空気力学ゴルフクラブヘッド。
【請求項２】
前記頂点高さ（ＡＨ）の前記最大上端部高さ（ＴＥＨ）に対する前記頂点比は少なくとも１．２である請求項１に記載の高容量空気力学ゴルフクラブヘッド。
【請求項３】
前記前後寸法（ＦＢ）は少なくとも４．６インチである請求項１または２に記載の高容量空気力学ゴルフクラブヘッド。
【請求項４】
前記クラブヘッド容量の１０％未満が前記最大上端部高さ（ＴＥＨ）の前記高さの上にある請求項１から３の何れか１項に記載の高容量空気力学ゴルフクラブヘッド。
【請求項５】
前記クラウン頂点は、前記フェースの一番前の、クラウン頂点セットバック寸法の距離の点の後ろに位置し、前記クラウン頂点セットバック寸法は１．７５インチ未満である請求項１から４の何れか１項に記載の高容量空気力学ゴルフクラブヘッド。
【請求項６】
重心（ＣＧ）の前記基面（ＧＰ）への垂直投影は、クラウン頂点セットバック寸法よりも、前記基面（ＧＰ）の前記フェースの、前の一番前の点の第２の垂直投影から遠い請求項１から５の何れか１項に記載の高容量空気力学ゴルフクラブヘッド。
【請求項７】
フェースの中心と、前記フェースの最もトウ側の点との間の前記フェースの上端部の一部と交わる、シャフト軸（ＳＡ）を通る垂直平面に垂直な複数の垂直ゴルフクラブヘッド断面の少なくとも５０パーセントにおいて、頂点から前面にかけての曲率半径（Ｒａ−ｆ）が３インチ未満である請求項１から６の何れか１項に記載の高容量空気力学ゴルフクラブヘッド。
【請求項８】
フェースの中心と、前記フェースの最もトウ側の点との間の前記フェースの上端部の一部と交わる、シャフト軸（ＳＡ）を通る垂直平面に垂直な複数の垂直ゴルフクラブヘッド断面の少なくとも７５パーセントにおいて、頂点から前面にかけての曲率半径（Ｒａ−ｆ）が３インチ未満である請求項１から７の何れか１項に記載の高容量空気力学ゴルフクラブヘッド。
【請求項９】
高容量空気力学ゴルフクラブヘッドであって、
Ａ）クラブヘッド容量が少なくとも４００ｃｃであり、フェースと、ソールセクションと、クラウンセクションと、前面と、後面と、ヒールと、トウとを有し、前後寸法（ＦＢ）が少なくとも４．４インチである中空ボディと、
Ｂ）クラウン頂点が基面（ＧＰ）から頂点高さ（ＡＨ）分、上に位置しており、前記クラウンセクションの、前記クラウン頂点と前記フェースとの間の部分における頂点から前面にかけての曲率半径（Ｒａ−ｆ）が３インチ未満であり、前記フェースの中心と、前記フェースの最もトウ側の点との間の前記フェースの上端部の一部と交わる、シャフト軸（ＳＡ）を通る垂直平面に垂直な複数の垂直ゴルフクラブヘッド断面の少なくとも５０パーセントにおいて、頂点から前面にかけての曲率半径（Ｒａ−ｆ）が３インチ未満であるという特徴を有する、前記クラウンセクションと、
Ｃ）上端部と下端部とを有する前記フェースと
を備え、
上端部高さ（ＴＥＨ）は、前記基面（ＧＰ）より上の前記上端部の高さであり、下端部高さ（ＬＥＨ）は、前記基面（ＧＰ）より上の前記下端部の高さであり、最大上端部高さ（ＴＥＨ）は少なくとも２インチであり、前記頂点高さ（ＡＨ）の前記最大上端部高さ（ＴＥＨ）に対する頂点比は少なくとも１．１３であり、
Ｄ）前記高容量空気力学ゴルフクラブヘッドにおいては、
ｉ）前記高容量空気力学ゴルフクラブヘッドの重心（ＣＧ）を通る垂直軸の周りの第１の慣性モーメントが少なくとも４０００ｇ＊ｃｍ２であり、
ｉｉ）前記重心（ＣＧ）を通る水平軸の周りの第２の慣性モーメントが少なくとも２０００ｇ＊ｃｍ２であり、
ｉｉｉ）前記高容量空気力学ゴルフクラブヘッドが設計されたように方向付けられ、前記高容量空気力学ゴルフクラブヘッドの前記前面に対して、１００ｍｐｈの風を前記基面（ＧＰ）に平行にあてた場合に、フェースを下にした正規化空気抵抗が１．５ｌｂｆ未満である高容量空気力学ゴルフクラブヘッド。
【請求項１０】
前記クラウンセクションの、前記クラウン頂点と前記中空ボディの前記後面との間の部分には、頂点から後面にかけての曲率半径（Ｒａ−ｒ）があり、前記頂点から前面にかけての曲率半径（Ｒａ−ｆ）は、前記頂点から後面にかけての曲率半径（Ｒａ−ｒ）の少なくとも２５％未満の値である請求項１から９の何れか１項に記載の高容量空気力学ゴルフクラブヘッド。
【請求項１１】
前記頂点高さ（ＡＨ）の前記最大上端部高さ（ＴＥＨ）に対する前記頂点比は少なくとも１．２５である請求項１から１０の何れか１項に記載の高容量空気力学ゴルフクラブヘッド。
【請求項１２】
前記クラウンセクションの、前記クラウン頂点と前記中空ボディの前記後面との間の部分には、頂点から後面にかけての曲率半径（Ｒａ−ｒ）があり、前記クラウンセクションの一部は、前記クラウン頂点におけるヒールからトウにかけての曲率半径を有し、前記頂点から前面にかけての曲率半径（Ｒａ−ｆ）は、前記頂点から後面にかけての曲率半径（Ｒａ−ｆ）未満であり、前記頂点から後面にかけての曲率半径（Ｒａ−ｒ）は前記ヒールからトウにかけての曲率半径未満である請求項１から１１の何れか１項に記載の高容量空気力学ゴルフクラブヘッド。
【請求項１３】
前記頂点から後面にかけての曲率半径（Ｒａ−ｒ）が２．８５インチ未満である請求項１から１２の何れか１項に記載の高容量空気力学ゴルフクラブヘッド。
【請求項１４】
前面断面面積が１１平方インチ未満である請求項１から１３の何れか１項に記載の高容量空気力学ゴルフクラブヘッド。
【請求項１５】
高容量空気力学ゴルフクラブヘッドであって、
Ａ）クラブヘッド容量が少なくとも４００ｃｃであり、フェースと、ソールセクションと、クラウンセクションと、前面と、後面と、ヒールと、トウとを有し、前後寸法（ＦＢ）が少なくとも４．４インチである中空ボディと、
Ｂ）クラウン頂点が基面（ＧＰ）から頂点高さ（ＡＨ）分、上に位置しており、前記クラウンセクションの、前記クラウン頂点と前記フェースとの間の部分における頂点から前面にかけての曲率半径（Ｒａ−ｆ）が３インチ未満であり、前記フェースの中心と、前記フェースの最もトウ側の点との間の前記フェースの上端部の一部と交わる、シャフト軸（ＳＡ）を通る垂直平面に垂直な複数の垂直ゴルフクラブヘッド断面の少なくとも７５パーセントにおいて、頂点から前面にかけての曲率半径（Ｒａ−ｆ）が３インチ未満であるという特徴を有する、前記クラウンセクションと、
Ｃ）上端部と下端部とを有する前記フェースと
を備え、
上端部高さ（ＴＥＨ）は、前記基面（ＧＰ）より上の前記上端部の高さであり、下端部高さ（ＬＥＨ）は、前記基面（ＧＰ）より上の前記下端部の高さであり、最大上端部高さ（ＴＥＨ）は少なくとも２インチであり、前記頂点高さ（ＡＨ）の前記最大上端部高さ（ＴＥＨ）に対する頂点比は少なくとも１．１３であり、
Ｄ）前記高容量空気力学ゴルフクラブヘッドにおいては、
ｉ）前記高容量空気力学ゴルフクラブヘッドの重心（ＣＧ）を通る垂直軸の周りの第１の慣性モーメントが少なくとも４０００ｇ＊ｃｍ２であり、
ｉｉ）前記重心（ＣＧ）を通る水平軸の周りの第２の慣性モーメントが少なくとも２０００ｇ＊ｃｍ２であり、
ｉｉｉ）前記高容量空気力学ゴルフクラブヘッドが設計されたように方向付けられ、前記高容量空気力学ゴルフクラブヘッドの前記前面に対して、１００ｍｐｈの風を前記基面（ＧＰ）に平行にあてた場合に、フェースを下にした正規化空気抵抗が１．５ｌｂｆ未満である高容量空気力学ゴルフクラブヘッド。